(57)【要約】【課題】次回の電力供給開始時に、ユーザに電源異常が発生したことを報知する。【解決手段】表示／入力パネル１６に画面を表示させるコントローラ１７と、印刷媒体に印刷する印刷部３０と、表示／入力パネル１６、コントローラ１７、及び印刷部３０へ電力を供給する電源１０１と、電源１０１から各機器へ電力を供給する過程において電力供給異常が発生したことを示す情報を電力供給異常情報として記憶する不揮発メモリ２０と、電力供給異常が発生した場合に、電源１０１からの電力供給を遮断する電力供給遮断部１０２と、電力供給遮断部１０２により電力供給が遮断された場合に、電力供給異常情報を不揮発メモリ２０に記憶させる記憶制御部２０１とを備える。【選択図】図１
2011240615.tif 000002
【特許請求の範囲】
【請求項１】
表示パネルと、
前記表示パネルへの表示を制御するコントローラと、
印刷媒体に印刷する印刷部と、
前記表示パネル、前記コントローラ、及び前記印刷部の各機器へ電力を供給する電源と、
前記電源から各機器へ電力を供給する過程において電力供給異常が発生したことを示す情報を電力供給異常情報として記憶する記憶部と、
前記電力供給異常が発生した場合に、前記電源からの電力供給を遮断する電力供給遮断部と、
前記電力供給遮断部により電力供給が遮断された場合に、前記電力供給異常情報を前記記憶部に記憶させる記憶制御部と、
を備えたことを特徴とする画像形成装置。
【請求項２】
電力供給開始が要求されたときに前記記憶部に前記電力供給異常情報が記憶されている場合、
前記電源により
前記表示パネル及び前記コントローラのみに電力を供給し、
前記コントローラは、
前記記憶部から前記電力供給異常情報を読み出し、前記表示パネルに表示させる
ことを特徴とする請求項１記載の画像形成装置。
【発明の詳細な説明】
【技術分野】
【０００１】
本発明は、印刷媒体に印刷する画像形成装置に係り、特に、内部に備えられた各機器を制御する機器制御部と画像処理を実行する画像処理部とを有し、画像処理部により画像処理された印刷ジョブ情報に基づいて、機器制御部が各機器を制御することにより印刷媒体に印刷する画像形成装置に関する。
【背景技術】
【０００２】
一般的に、インクジェット方式が適用された画像形成装置は、画像データなどを含む印刷ジョブ情報に基づいて、インクジェットヘッドのノズルからインクを印刷用紙に向けて吐出して画像や文字などを印刷する。このような画像形成装置は、多色のインクを使用して印刷用紙上に印刷データをカラーで印刷できるので、家庭用や業務用としても普及している。
【０００３】
近年では、ネットワークを介して端末にコントローラ装置を接続し、コントローラ装置に画像形成装置を接続し、コントローラ装置が、端末からネットワークを介して送信された印刷ジョブ情報に基づいて印刷可能なデータ形式となるように画像処理を実行し、この画像処理が施された印刷ジョブ情報に基づいて画像形成装置が印刷する画像形成システムもある（例えば、特許文献１）。
【０００４】
さらに、上述したコントローラ装置の機能を画像処理部として内部に備えた画像形成装置もある。具体的には、ネットワークを介して端末と接続され、内部に備えられた画像処理部が、端末からネットワークを介して送信された印刷ジョブ情報に基づいて印刷可能なデータ形式となるように画像処理を実行し、この画像処理が施された印刷ジョブ情報に基づいて印刷する画像形成装置もある。また、画像形成装置に備えられた画像処理部は、液晶表示パネルに各種画面を表示させる。
【先行技術文献】
【特許文献】
【０００５】
【特許文献１】特開２００５−４７２６７号公報
【発明の概要】
【発明が解決しようとする課題】
【０００６】
しかしながら、上述した内部に画像処理部を備える画像形成装置では、電力を供給する電源ユニットや、画像処理部、液晶表示パネル、インクジェットヘッド、搬送ローラを駆動させるモータ等の各種機器を備えており、電力供給異常、例えば過電流等の電源異常が発生すると各種機器への損傷を防ぐため電源ユニットから各種機器への電力供給が停止される。この際、液晶表示パネルにすら何も情報が提示されないため、ユーザは電源供給が停止された理由が分からず、すぐに適切な対処ができなかった。
【０００７】
本発明は、上記課題に鑑みてなされたものであり、電力供給異常が発生して電力供給が停止した場合、次回の電力供給開始時に、ユーザに電力供給異常が発生したことを報知する画像形成装置を提供することにある。
【課題を解決するための手段】
【０００８】
上記目的を達成するため、本発明に係る画像形成装置の第１の特徴は、表示パネルと、前記表示パネルへの表示を制御するコントローラと、印刷媒体に印刷する印刷部と、前記表示パネル、前記コントローラ、及び前記印刷部の各機器へ電力を供給する電源と、前記電源から各機器へ電力を供給する過程において電力供給異常が発生したことを示す情報を電力供給異常情報として記憶する記憶部と、前記電力供給異常が発生した場合に、前記電源からの電力供給を遮断する電力供給遮断部と、前記電力供給遮断部により電力供給が遮断された場合に、前記電力供給異常情報を前記記憶部に記憶させる記憶制御部とを備えたことにある。
【０００９】
本発明に係る画像形成装置の第２の特徴は、電力供給開始が要求されたときに前記記憶部に前記電力供給異常情報が記憶されている場合、前記電源により、前記表示パネル及び前記コントローラのみに電力を供給し、前記コントローラは、前記記憶部から前記電力供給異常情報を読み出し、前記表示パネルに表示させることにある。
【発明の効果】
【００１０】
本発明に係る画像形成装置の第１の特徴によれば、電力供給遮断部により電力供給が遮断された場合に、電力供給異常情報を記憶部に記憶させるので、電力供給異常発生後の次回の電力供給開始時に、ユーザに電力供給異常が発生したことを報知することができる。
【００１１】
本発明に係る画像形成装置の第２の特徴によれば、電源による電力供給が開始されたときに記憶部に電力供給異常情報が記憶されている場合、電力供給が発生したことを表示パネルに表示させるので、電力供給異常発生後の次回の電力供給開始時に、ユーザに電力供給異常が発生したことを示すメッセージを表示させることができ、これにより、ユーザは電力供給に異常が発生したことを知ることができる。
【図面の簡単な説明】
【００１２】
【図１】本発明の実施例１である画像形成装置の構成を示した構成図である。
【図２】本発明の実施例１である画像形成装置の処理手順を示したフローチャートである。
【図３】本発明の実施例２に係る画像形成装置における処理手順を示したフローチャートである。
【発明を実施するための形態】
【００１３】
以下、本発明の実施の形態を、図面を参照しながら詳細に説明する。なお、以下の実施例ではインクジェット印刷装置をメインに説明するが、他の画像形成装置、例えば電子写真等に適用可能である。
【実施例１】
【００１４】
本発明の実施例１では、各機器を制御する制御部と画像処理を実行するコンローラとを有し、電力供給異常が発生した場合、次回の電力供給開始時に電力供給異常が発生したことを報知する画像形成装置を例に挙げて説明する。
【００１５】
＜画像形成装置の構成＞
図１は、本発明の実施例１である画像形成装置の構成を示した構成図である。
【００１６】
図１に示すように、画像形成装置１は、電源ユニット１１と、モータ１２と、インクジェットヘッド（画像形成部）１３と、ネットワークインタフェース部１４と、操作部１６と、コントローラ１７と、エンジン基板１８と、ランプ１９と、不揮発メモリ２０と、制御部２１とを備えている。ここで、モータ１２と、インクジェットヘッド１３と、ネットワークインタフェース部１４とを印刷部３０という。
【００１７】
電源ユニット１１は、電源１０１と電力供給遮断部１０２とを備えている。
【００１８】
電源１０１は、印刷部３０と、操作部１６と、コントローラ１７と、エンジン基板１８とに電力を供給する。具体的には、電源１０１は、モータ１２には２４（Ｖ）の電圧で電力を供給し、インクジェットヘッド１３には４１（Ｖ）の電圧で電力を供給し、ネットワークインタフェース部１４とエンジン基板１８と操作部１６とには５（Ｖ）の電圧で電力を供給し、コントローラ１７には１２（Ｖ）の電圧で、電力を供給する。
【００１９】
また、電源１０１は、電力供給の開始が要求されたときに、後述する不揮発メモリ２０に電力供給異常情報が記憶されている場合、操作部１６及びコントローラ１７のみに電力を供給する。
【００２０】
電力供給遮断部１０２は、電源１０１に接続された各機器への電力供給の過程で電力異常が発生した場合、例えば電源１０１に過電流等の異常が発生した場合に、電源１０１から、印刷部３０と、操作部１６と、コントローラ１７等の電源ユニットに接続された各種機器への電力の供給を遮断する。
【００２１】
モータ１２は、２４（Ｖ）の電圧で電力が供給されることにより、印刷媒体を搬送する搬送ローラを回転させたり、内部に備えられた吸引ファンを回転させたりする等、画像形成装置１の内部に備えられた様々な駆動部を駆動させる。
【００２２】
インクジェットヘッド１３は、シアン（Ｃ）、マゼンタ（Ｍ）、イエロー（Ｙ）、及びブラック（Ｋ）の合計４色のインクジェットヘッドを備えている。インクジェットヘッド１３は、４１（Ｖ）の電圧で電力が供給され、内部に備えられた圧電素子を印加することによりインクジェットヘッド１３から各色のインクを吐出し、これにより印刷媒体に対してカラー印刷を行う。
【００２３】
ネットワークインタフェース部１４は、ネットワークカードなどの通信インタフェースであり、このネットワークインタフェース部１４により外部ネットワーク１０に接続することによって、外部ネットワーク１０に接続された端末から印刷ジョブ情報等の様々なデータが供給される。
【００２４】
操作部１６は、表示／入力パネル１６ａと、電源１０１に電力供給を開始させるための電源キー、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号をコントローラ１７や制御部２１に供給する。
【００２５】
操作部１６の表示／入力パネル１６ａは、前面に配置された感圧式あるいは静電式の透明なタッチパネルと、このタッチパネルの裏面に配置され、コントローラ１７から供給された出力信号に基づいて、各種表示画面を表示する液晶表示パネル（いずれも図示せず）とを有している。利用者は、液晶表示パネルの表示画面を見ながら、タッチパネルの表面を指などで直接触れることで、各種の設定入力操作等を行うことができる。
【００２６】
コントローラ１７は、画像処理等の複雑な処理を実行するのに適した演算処理回路を備えており、１２（Ｖ）の電圧で電力が供給され、ネットワークインタフェース部１４を介して端末から供給された印刷ジョブ情報に基づいて画像処理を実行する。
【００２７】
また、コントローラ１７は、ネットワークインタフェース部１４を介して端末から供給された印刷ジョブ情報や、操作部１６から供給される操作信号に基づいて、操作部１６の表示／入力パネル１６ａに各種画面を表示させるための出力信号を生成し、この生成した出力信号に基づいて操作部１６の表示／入力パネル１６ａに各種画面を表示させる。
【００２８】
エンジン基板１８は、５（Ｖ）の電圧で電力が供給されており、制御部２１と、不揮発メモリ２０と、ランプ１９が接続されている。
【００２９】
制御部２１は、機器制御を行うのに適した応答の早い演算処理回路を備えており、画像形成装置１の中枢的制御を行う。また、制御部２１は、その機能上、記憶制御部２０１と機器制御部２０２とを備えている。
【００３０】
記憶制御部２０１は、電力供給遮断部１０２により電力供給が遮断された場合に、電力供給異常情報を不揮発メモリ２０に記憶させる。ここで、電力供給異常情報とは、電源１０１からの電力供給に異常が発生したことを示す情報であり、電源１０１から、印刷部３０、操作部１６、及びコントローラ１７等の電源ユニットに接続された各種機器への電力の供給が遮断されたことを示している。
【００３１】
機器制御部２０２は、主に、ランプ１９、及び印刷部３０に含まれる各部を制御する。
【００３２】
例えば、機器制御部２０２は、モータ１２を駆動させることにより、給紙トレイに積置された印刷媒体を給紙し、インクジェットヘッド１３を駆動させることにより、給紙された印刷媒体に対して各色のインクを吐出させ、これにより印刷媒体に対してカラー印刷を行う。
【００３３】
また、機器制御部２０２は、電源１０１により電力供給が開始されたときに不揮発メモリ２０に電力供給異常情報が記憶されている場合、電源１０１に異常が発生したことを示すようにランプ１９を点滅させる。
【００３４】
ランプ１９は、例えばＬＥＤ（Light Emitting Diode）等の発光素子を備え、機器制御部２０２の指示に従い点滅する。
【００３５】
不揮発メモリ２０は、不揮発性半導体等で構成され、電源１０１からの電力供給に異常が発生したことを示す情報を電力供給異常情報として記憶する。
【００３６】
＜画像形成装置の作用＞
図２は、本発明の実施例１である画像形成装置１の処理手順を示したフローチャートである。
【００３７】
図２に示すように、電源オン操作、即ち、操作部１６に備えられた電源ユニット１１の電源１０１に電源投入させるための電源キーがユーザにより押下操作されると（ステップＳ１０１）、電源ユニット１１の電源１０１は、エンジン基板１８に５（Ｖ）の電圧で、電力の供給を開始する（ステップＳ１０３）。
【００３８】
そして、エンジン基板１８に電力が供給されることにより起動した制御部２１の記憶制御部２０１は、不揮発メモリ２０に電力供給異常情報が記憶されているか否かを判定する（ステップＳ１０５）。
【００３９】
ステップＳ１０５において、電力供給異常情報が記憶されていると判定された場合（ＹＥＳの場合）、電源ユニット１１の電源１０１は、コントローラ１７と操作部１６とを電源オンする（ステップＳ１０７）。具体的には、電源１０１は、コントローラ１７に１２（Ｖ）の電圧で電力を供給すると共に、操作部１６に５（Ｖ）の電圧で電力を供給する。
【００４０】
次に、コントローラ１７は、操作部１６の表示／入力パネル１６ａに、電源１０１に異常が発生したことを示すエラーメッセージを表示させる（ステップＳ１０９）。例えば、表示／入力パネル１６ａに、「前回の起動中に電源の異常が発生しました。メンテナンスセンターにご連絡ください。」というようなエラーメッセージを表示させる。
【００４１】
一方、ステップＳ１０５において、電力供給異常情報が記憶されていないと判定された場合（ＮＯの場合）、電源１０１は、電源ユニットに接続されている各種機器の電源をオンする（ステップＳ１１１）。具体的には、電源１０１は、モータ１２には２４（Ｖ）の電圧で電力を供給し、インクジェットヘッド１３には４１（Ｖ）の電圧で電力を供給し、ネットワークインタフェース部１４及び操作部１６には５（Ｖ）の電圧で電力を供給し、コントローラ１７には１２（Ｖ）の電圧で電力を供給する。
【００４２】
ステップＳ１１１において、各部の電源がオンされると、電源ユニット１１の電力供給遮断部１０２は、電力供給異常が発生したか否かを判定する（ステップＳ１１３）。例えば、電力供給遮断部１０２は、モータ１２と、インクジェットヘッド１３と、ネットワークインタフェース部１４と、操作部１６と、コントローラ１７とのいずれかに過電流が流れた場合、電力供給異常が発生したと判定する。
【００４３】
電力供給異常が発生したと判定された場合（ＹＥＳの場合）、電力供給遮断部１０２は、電力供給異常が発生したことを示す信号をエンジン基板１８を介して制御部２１へ供給する（ステップＳ１１５）。
【００４４】
次に、電源ユニット１１の電力供給遮断部１０２は、エンジン基板１８以外の電源オフする（ステップＳ１１７）。具体的には、電力供給遮断部１０２は、モータ１２と、インクジェットヘッド１３と、ネットワークインタフェース部１４と、操作部１６と、コントローラ１７との電力供給を遮断する。
【００４５】
次に、制御部２１の記憶制御部２０１は、電力供給遮断部１０２から供給された電力供給異常が発生したことを示す信号に基づいて、電力供給異常情報を不揮発メモリ２０に記憶させる（ステップＳ１１９）。
【００４６】
この際、制御部２１の機器制御部２０２は、電力供給異常が発生したことを示すようにランプ１９を点灯又は点滅させ、ユーザに報知するようにしても良い。
【００４７】
以上のように、本発明の実施例１である画像形成装置１によれば、電力供給遮断部１０２により電力供給が遮断された場合に、電力供給異常情報を不揮発メモリ２０に記憶させるので、電力供給異常発生後の次回の電力供給開始時に、ユーザに電力供給異常が発生したことを報知することができる。
【００４８】
具体的には、電源１０１による電力供給が開始されたときに不揮発メモリ２０に電力供給異常情報が記憶されている場合、コントローラ１７と操作部１６とに電力供給を開始し、前回の通電時に電力供給異常が発生したことを操作部１６の表示／入力パネル１６ａに表示させるので、ユーザに電力供給異常が発生したことを報知することができる。
【００４９】
なお、本発明の実施例１では、電力供給遮断部１０２が、印刷部３０と、操作部１６と、コントローラ１７とのいずれかに過電流が流れた場合、電力供給異常が発生したと判定したが、これに限らず、印刷部３０と、操作部１６と、コントローラ１７とのいずれかに、電力供給開始から所定時間経過しても定格電流が流れなかった場合、電力供給異常が発生したと判定するようにしてもよい。
【００５０】
また、電力供給遮断部１０２が、電力供給異常が発生したか否かを判定したが、これに限らず、機器制御部２０２が、電力供給異常が発生したか否かを判定するようにしてもよい。
【００５１】
また、ステップＳ１１３では電力供給異常を検出する制御を繰り返し行なうようになっているが、電源ＯＦＦ時や省電力モード移行時にこの制御を終了するようにしても良い。
【００５２】
また、印刷が完了しているか否かを判断するステップを入れ、印刷が完了したら電力供給異常の検出を終了するようにしても良い。具体的には、Ｓ１１３で電力供給異常が発生していない場合（Ｓ１１３においてＮＯの場合）、印刷が完了したか否かを判断し、完了していなかったらＳ１１３に戻り、完了していれば終了するように制御しても良い。
【実施例２】
【００５３】
本発明の実施例１では、電力供給異常が発生した場合に、電力供給遮断部１０２が、各部への電力供給を遮断すると共に、電力供給異常が発生したことを示す信号を制御部２１へ供給する画像形成装置１を例に挙げて説明した。
【００５４】
本発明の実施例２では、電力供給異常が発生した場合に、電力供給遮断部１０２が、電源１０１が電力を供給する各部のうちいずれに電力供給異常が発生したかを示す情報を制御部２１へ供給する画像形成装置２を例に挙げて説明する。
【００５５】
なお、本発明の実施例２に係る画像形成装置２は、図１に示した本発明の実施例１に係る画像形成装置１の機能構成と同一の機能構成を備えるので、説明を省略する。
【００５６】
図３は、本発明の実施例２に係る画像形成装置２における処理手順を示したフローチャートである。ここで、図３に示すフローチャートのうち、ステップＳ１０１〜Ｓ１１３については、図２に示したフローチャートの同一ステップ番号の処理と同一であるので、説明を省略する。また、図３では省略したが、必要に応じて図２のステップＳ１０５、Ｓ１０７，Ｓ１０９を実行するように制御しても良い。
【００５７】
図３に示すように、ステップＳ１１３において、電力供給異常が発生したと判定された場合（ＹＥＳの場合）、電力供給遮断部１０２は、電力供給異常が発生した箇所への電力供給を遮断（停止）すると共に、当該電力供給異常の発生箇所を示す信号をエンジン基板１８を介して制御部２１へ供給する（ステップＳ２０１）。例えば、電源１０１からインクジェットヘッド１３への電力供給において電力供給異常が発生した場合、電力供給遮断部１０２は、インクジェットヘッド１３において電力供給異常が発生したことを示す信号をエンジン基板１８を介して制御部２１へ供給する。
【００５８】
この際、併せてランプ１９にて電力供給異常が発生した旨をユーザに報知させるようにしても良い。
【００５９】
次に、制御部２１の機器制御部２０２は、操作部１６とコントローラ１７への電力供給が正常か否かを判定する（ステップＳ２０３）。
【００６０】
ステップＳ２０３において、操作部１６とコントローラ１７への電力供給が正常であると判定された場合（ＹＥＳの場合）、コントローラ１７は、操作部１６の表示／入力パネル１６ａに、電力供給異常が発生したことを示すエラーメッセージを表示させる（ステップＳ２０５）。例えば、表示／入力パネル１６ａに、「インクジェットヘッドに電力供給異常が発生しました。メンテナンスセンターにご連絡ください。」というようなエラーメッセージを表示させる。
【００６１】
次に、電源ユニット１１の電力供給遮断部１０２は、操作部１６とコントローラ１７とエンジン基板１８以外の電源オフする（ステップＳ２０７）。
【００６２】
一方、ステップＳ２０３において、操作部１６又はコントローラ１７への電力供給が異常であると判定された場合（ＮＯの場合）、制御部２１の機器制御部２０２は、ランプ１９にて電力供給異常が発生したことをユーザに報知する（ステップＳ２０９）。例えば、コントローラ１７に電力供給異常が発生したことを示すようにランプ１９を点灯又は点滅させる。
【００６３】
次に、電源ユニット１１の電力供給遮断部１０２は、エンジン基板１８以外の電源をオフする（ステップＳ２１１）。具体的には、電力供給遮断部１０２は、モータ１２と、インクジェットヘッド１３と、ネットワークインタフェース部１４と、操作部１６と、コントローラ１７との電力供給を遮断する。
【００６４】
なお、実施例１と同様に、ステップＳ１１３では電力供給異常を検出する制御を繰り返し行なうようになっているが、電源ＯＦＦ、省電力モードへ移行する際に終了するようにしても良い。
【００６５】
また、実施例１と同様に、印刷が完了しているか否かを判断するステップを入れ、印刷が完了したら電力供給異常の検出を終了するようにしても良い。具体的には、Ｓ１１３で電力供給異常が発生していない場合（Ｓ１１３においてＮＯの場合）、印刷が完了したか否かを判断し、完了していなかったらＳ１１３に戻り、完了していれば終了となるように制御しても良い。
【００６６】
以上のように、本発明の実施例２である画像形成装置２によれば、電力供給異常が発生した場合に、電力供給遮断部１０２が、電源１０１が電力を供給する各部のうちいずれに電力供給異常が発生したかを示す情報を制御部２１へ供給するので、操作部１６又はコントローラ１７への電力供給が正常であれば、ユーザは、電源１０１が電力を供給する各部のうちいずれに電力供給異常が発生したかを確認することができる。
【符号の説明】
【００６７】
１，２…画像形成装置
１０…外部ネットワーク
１１…電源ユニット
１２…モータ
１３…インクジェットヘッド（画像形成部）
１４…ネットワークインタフェース部
１６…操作部
１６ａ…表示／入力パネル
１７…コントローラ
１８…エンジン基板
１９…ランプ
２０…不揮発メモリ（記憶部）
２１…制御部
３０…印刷部
１０１…電源
１０２…電力供給遮断部
２０１…記憶制御部
２０２…機器制御部
【図１】
2011240615.tif 000003
【図２】
2011240615.tif 000004
【図３】
2011240615.tif 000005